(57)【要約】【課題】ファンの取り外しやケーシングの内面の汚れの拭き取り作業が容易になるレンジフードを提供する。【解決手段】調理器具の上方に設置され、調理器具の使用時に生じる汚染空気を捕捉し屋外に排気するレンジフード１において、下方が開放され、汚染空気の捕捉空間Ｓを画定するフード部２と、フード部２より排気方向下流側に配置され、フード部２側が開放されたケーシング７１と、ケーシング７１内に収容されケーシング７１の開放口７１２ａから取出し自在なファン７２とを有する送風装置７と、送風装置７の吸気口を形成するベルマウス３２と、吸気口に吸い込まれる前の汚染空気が通過するフィルタ３３と、ベルマウス３２を支持するとともにフィルタ３３も支持する支持体３１とを備え、支持体３１は、ベルマウス３２およびフィルタ３３の両方を支持した状態で、フード部２に着脱自在なものである。【選択図】図２
2014114974.tif 000002
【特許請求の範囲】
【請求項１】
調理器具の上方に設置され、該調理器具の使用時に生じる汚染空気を捕捉し該汚染空気を屋外に排気するレンジフードにおいて、
下方が開放され、前記汚染空気の捕捉空間を画定するフード部と、
前記フード部より排気方向下流側に配置され、前記フード部側が開放されたケーシングと、該ケーシング内に収容され該ケーシングの開放口から取出し自在なファンとを有する送風装置と、
前記送風装置の吸気口を形成するベルマウスと、
前記吸気口に吸い込まれる前の汚染空気が通過するフィルタと、
前記ベルマウスを支持するとともに前記フィルタも支持する支持体とを備え、
前記支持体は、前記ベルマウスおよび前記フィルタの両方を支持した状態で、前記フード部に着脱自在なものであることを特徴とするレンジフード。
【請求項２】
前記フード部は、前記ファンにつながる開口が設けられた天井部を有するものであり、
前記ケーシングは、天板部と、該天板部から下方に延在した側板部と、該側板部の下端から外側に向けて突出したフランジ部とを有するものであり、
前記フランジ部が、前記天井部の、前記開口の周囲に取り付けられたものであることを特徴とする請求項１記載のレンジフード。
【請求項３】
前記捕捉空間内に配置された整流板を備え、
前記フィルタは、前記整流板と前記開口の間に配置され、該開口から前記捕捉空間内に拡がった所定空間を取り囲む枠状に形成されたものであることを特徴とする請求項２記載のレンジフード。
【請求項４】
前記送風装置は、嵌合部が形成された回転軸を有する電動機を備えたものであり、
前記ファンは、前記回転軸に取り付けられる取付部材を備えたものであり、
前記取付部材は、
前記嵌合部に嵌まり合う被嵌合部と、
前記被嵌合部が前記嵌合部に嵌合する嵌合方向に該被嵌合部を付勢する付勢手段とを有するものであり、
前記被嵌合部は、前記付勢手段に抗して前記嵌合方向とは反対方向に移動させることが可能なものであることを特徴とする請求項１から３のうちいずれか１項記載のレンジフード。
【発明の詳細な説明】
【技術分野】
【０００１】
本発明は、調理器具の上方に設置され、調理器具の使用時に生じる汚染空気を捕捉し屋外に排気するレンジフードに関する。
【背景技術】
【０００２】
調理器具の上方に設置され、調理器具の使用時に生じる、煙、水蒸気、油煙等を含んだ汚染空気を捕捉し、この汚染空気を屋外に排気するレンジフードが知られている。このレンジフードは、一般的に、汚染空気の捕捉空間を画定するフード部と、送風装置とを備え、フード部で捕捉した汚染空気を、送風装置からダクトを介して屋外に排気するものである。送風装置は、ケーシングと、ケーシング内に収容されたファンを備えている。ケーシングは、天板部と、この天板部から下方に延在した側板部と、この側板部の下端に取り付けられた、開口を有する底板部と、室外と連通するダクトに接続した吐出口とを有している。底板部の開口には、汚染空気の吸気口となるベルマウスが着脱自在に取り付けられている。また、ファンは、天板部に取り付けられたモータの、鉛直方向に延在した回転軸にスピンナ等で固定され、鉛直方向の回転軸を中心に回転する姿勢に配置されている。なお、モータを、回転軸が水平方向に延在する姿勢に配置し、この回転軸にファンが取り付けられる構造のレンジフードも知られている。
【０００３】
フード部の中央部分には開口が設けられ、この開口は、ベルマウスと連通している。また、フード部には、開口を覆う状態にフィルタが設けられている。
【０００４】
レンジフードを作動させると、モータによってファンが回転し、調理器具の使用時に生じた汚染空気は、フード部で捕捉された後、フィルタを通過してベルマウスから送風装置内に吸い込まれ、ファンによって吐出口からダクトを通って屋外に排気される。
【０００５】
レンジフードを使用するにつれて、特に、フィルタ、ベルマウス、ファン、およびケーシングの内面に油や埃が付着し、これらの部品が汚れてくる。これらの部品のうち、フィルタ、ベルマウス、およびファンについては、この記載順に取り外し、浸け置き等して洗うことができる。一方、ケーシングは構造上取り外すことができず、ケーシングの内面を掃除する場合は、ケーシングの底板部に形成された開口からケーシング内に手を伸ばして拭き取る必要がある。しかし、ケーシングは高い位置に設置されており、さらに、ケーシングの底板部に形成された開口が狭いため、ケーシング内に手を伸ばしにくく、ケーシングの内面の掃除が難しい。このため、ケーシング内に手を入れやすく、汚れを容易に拭き取ることができるレンジフードが提案されている（例えば、特許文献１等参照）。
【０００６】
特許文献１に記載されたレンジフードでは、ケーシングの底板部にベルマウスを設け、ケーシングの底板部を外せばベルマウスも一緒に外され、ケーシングの底板部を取り付ければベルマウスも一緒に取り付けられる構造にしている。この構造では、ケーシングの底板部を取り外すと、ケーシングの側板部の縁によって画定された開放口からケーシング内に手を入れることができるようになる。この開放口は、ケーシングの底板部に形成された開口よりも大きくなる。このため、特許文献１に記載のレンジフードによれば、ケーシングの底板部を取り外すことで、ファンを取り外すことができ、また、ケーシング内に手を入れやすく、ケーシングの内面の汚れを容易に拭き取ることができる。
【先行技術文献】
【特許文献】
【０００７】
【特許文献１】特開２００９−１３８９９０号公報
【発明の概要】
【発明が解決しようとする課題】
【０００８】
しかしながら、特許文献１に記載されたレンジフードでは、ファンの取り外しやケーシングの内面の掃除をするためには、ケーシングの底板部を取り外す前に、この底板部の下方に配置されたフィルタを取り外さなければならず、作業が必ずしも容易とはいえない。
【０００９】
本発明は上記事情に鑑み、ファンの取り外しやケーシングの内面の拭き取り作業を容易に行うことができるレンジフードを提供することを目的とする。
【課題を解決するための手段】
【００１０】
上記目的を解決する本発明のレンジフードは、調理器具の上方に設置され、該調理器具の使用時に生じる汚染空気を捕捉し該汚染空気を屋外に排気するレンジフードにおいて、
下方が開放され、前記汚染空気の捕捉空間を画定するフード部と、
前記フード部より排気方向下流側に配置され、前記フード部側が開放されたケーシングと、該ケーシング内に収容され該ケーシングの開放口から取出し自在なファンとを有する送風装置と、
前記送風装置の吸気口を形成するベルマウスと、
前記吸気口に吸い込まれる前の汚染空気が通過するフィルタと、
前記ベルマウスを支持するとともに前記フィルタも支持する支持体とを備え、
前記支持体は、前記ベルマウスおよび前記フィルタの両方を支持した状態で、前記フード部に着脱自在なものであることを特徴とする。
【００１１】
前記送風装置は、前記ファンが鉛直方向の回転軸を中心に回転するものであってもよいし、前記ファンが水平方向の回転軸を中心に回転するものであってもよい。また、前記ベルマウスと前記フィルタは、前記支持体と一体に構成されたものであってもよく、該ベルマウスと該フィルタのいずれか一方が、該支持体と一体に構成されたものであってもよい。さらに、前記支持体は、ケーシングの上記底板部を兼ねるものであってもよいが、その外形形状が、前記ケーシングの開放口よりも大きいものであってもよい。なお、前記汚染空気は、煙、水蒸気、油煙等を含んだものであってもよい。
【００１２】
本発明のレンジフードによれば、支持体は、ベルマウスおよびフィルタの両方を支持した状態で、フード部に着脱自在なものであるため、ベルマウスおよびフィルタの両方を支持した支持体を取り外すことで、ケーシングの開放口からファンを取り外すことができ、また、開放口から手を伸ばしてケーシングの内面の拭き取りを行うことができる。このため、レンジフードを掃除する作業が容易になる。
【００１３】
また、本発明のレンジフードにおいて、前記フード部は、前記ファンにつながる開口が設けられた天井部を有するものであり、
前記ケーシングは、天板部と、該天板部から下方に延在した側板部と、該側板部の下端から外側に向けて突出したフランジ部とを有するものであり、
前記フランジ部は、前記天井部の、前記開口の周囲に取り付けられたものであることが好ましい。
【００１４】
こうすることで、ケーシングと天井部との取付構造を簡易にすることができる。
【００１５】
また、前記天井部は、前記開口の周囲に設けられ、前記フランジ部の厚み分以上上方に凹んだ取付部を有するものであり、
前記フランジ部は、前記取付部に取り付けられたものであってもよい。
【００１６】
さらに、前記取付部は、前記フランジ部が下方からネジ等で該取付部に取り付けられる場合は、該フランジ部の厚みと該ネジの頭部等の厚みとを合わせた分、上方に凹んだものであってもよい。前記天板部と前記側板部は、一体に構成されたものであってもよい。
【００１７】
ケーシングのフランジ部は、フード部の天井部における、フランジ部の厚み分以上上方に凹んだ取付部に取り付ける構成を採用した場合には、フランジ部と天井部の間に段差が生じ難くなり、ケーシングとフード部との接続部分の拭き掃除をスムーズに行うことができる。
【００１８】
さらに、本発明のレンジフードにおいて、前記捕捉空間内に配置された整流板を備え、
前記フィルタは、前記整流板と前記開口の間に配置され、該開口から前記捕捉空間内に拡がった所定空間を取り囲む枠状に形成されたものであることが好ましい。
【００１９】
こうすることで、整流板の取入口から取り入れた汚染空気が効率的にフィルタを通過し、また、ベルマウスとフィルタを両方支持した支持体を、ベルマウスとフィルタとともに整流板によって隠蔽し、意匠性を向上させることができる。
【００２０】
また、本発明のレンジフードにおいて、前記送風装置は、嵌合部が形成された回転軸を有する電動機を備えたものであり、
前記ファンは、前記回転軸に取り付けられる取付部材を備えたものであり、
前記取付部材は、
前記嵌合部に嵌まり合う被嵌合部と、
前記被嵌合部が前記嵌合部に嵌合する嵌合方向に該被嵌合部を付勢する付勢手段とを有するものであり、
前記被嵌合部は、前記付勢手段に抗して前記嵌合方向とは反対方向に移動させることが可能なものであることが好ましい。
【００２１】
前記嵌合部と前記被嵌合部は、いずれか一方が孔または凹部であり、いずれか他方が該孔または該凹部に嵌合する突起であってもよい。
【００２２】
回転軸の嵌合部と取付部材の被嵌合部が嵌り合うことによって回転軸の動力をファンに伝達することができるため、回転軸の動力をファンに伝えるための専用の部品が不要になり、また、ファンが回転する際のがたつきを抑えることができる。さらに、被嵌合部を、付勢手段に抗して嵌合方向とは反対方向に移動させることによって、回転軸の嵌合部と取付部材の被嵌合部の嵌り合いを解除させることができ、回転軸からファンを取り外す作業が容易になる。
【発明の効果】
【００２３】
本発明によれば、ファンの取り外しやケーシングの内面の汚れの拭き取り作業が容易になるレンジフードを提供することができる。
【図面の簡単な説明】
【００２４】
【図１】本発明の実施形態であるレンジフードを右斜め下方から見た斜視図である。
【図２】図１に示すレンジフードのＡ−Ａ’断面図である。
【図３】図１に示すレンジフードの整流板を開いた状態を示す図である。
【図４】（ａ）は、図１に示す結合部材を拡大して示す図であり、（ｂ）は、図１に示す結合部材を前後方向に断面した図である。
【図５】図３に示すレンジフードから、結合部材を取り外した状態を示す図である。
【図６】本発明の実施形態であるレンジフードの、モータの回転軸にファンを取り付ける態様を説明するための概念図である。
【図７】（ａ）は、図６に示す、モータの回転軸に取付部材が取付られた状態を下方から見た要部拡大図であり、（ｂ）は、（ａ）のＡ−Ａ’断面図である。
【図８】（ａ）は、図７（ａ）に示す本体のＢ−Ｂ’断面図であり、（ｂ）は、（ａ）に示す本体を上方から見た図である。
【発明を実施するための形態】
【００２５】
以下、図面を参照して本発明の実施の形態を説明する。図１は、本発明の実施形態であるレンジフードを右斜め下方から見た斜視図である。図２は、図１に示すレンジフードのＡ−Ａ’断面図である。以下、図１に示すレンジフードの、左斜め上側を前側と称し、右斜め下側を後側と称することがある。また、図１に示すレンジフードの、左斜め下側を左側と称し、右斜め上側を右側と称することがある。
【００２６】
本実施形態のレンジフード１は、図示しない調理器具の上方であって、左側部分が、図示しないキッチンの横壁に取り付けられる、横壁取付タイプである。なお、レンジフード１は、後側部分がキッチンの壁面に取り付けられる壁面取付タイプであってもよいし、上端部分がキッチンの天井に取り付けられる天井取付タイプであってもよい。レンジフード１は、調理器具の使用時に生じる、廃ガス、油煙、水蒸気、熱気などの汚染空気を捕捉し、屋外に排気するものである。
【００２７】
図１および図２に示すように、レンジフード１は、フード部２と、支持体３１と、ベルマウス３２と、フィルタ３３と、整流板６と、送風装置７と、屋外に連通するダクト１２に接続されたＬ型ダクト１３と、カバー１４とを備えている。
【００２８】
図１に示すように、フード部２は、略矩形状の天井部２１と、枠体２２とを有している。枠体２２は、略矩形の枠状に形成され、枠体２２の前側部分には、レンジフード１を操作する操作スイッチ２２１が設けられている。また、枠体２２は、その後側部分における内側に、左右方向に延在した照明設置部２２２を有し、この照明設置部２２２に照明２２２ａが二つ設置されている。
【００２９】
図２に示すように、天井部２１は、枠体２２にネジによって固定されている。フード部２の、天井部２１と枠体２２によって画定される空間が、本発明にいう捕捉空間Ｓに相当する。天井部２１の略中央部分には、開口２１ａが形成されている。  図２に示すように、送風装置７は、ケーシング７１と、ファン７２と、鉛直方向に延在した回転軸７３１を有するモータ７３とを備え、フード部２より排気方向下流側に配置されている。なお、図２では、ファン７２を一部破断した状態を示している。モータ７３が、本発明にいう電動機に相当する。ケーシング７１は、天板部７１１と、天板部７１１から下方に延在した側板部７１２と、側板部７１２の下端から外側に向けて突出したフランジ部７１３とを有している。側板部７１２の下端部分で画定された空間は、ファン７２を取り出すことができる開放口７１２ａになる。なお、側板部７１２の左側部分には、図示しない吐出口が形成され、この吐出口にＬ型ダクト１３が接続している。モータ７３は、天板部７１１に取り付けられている。また、ファン７２は、斜め下方に延びた支持片７２１と、この支持片７２１に支持された取付板７２２を有し、この取付板７２２に取付部材８が固定されている。ファン７２は、この取付部材８によってモータ７３の回転軸７３１に取り付けられている。詳細は後述するが、フード部２の天井部２１に形成された開口２１ａの周囲に、送風装置７のフランジ部７１３が取付られている。なお、カバー１４は、送風装置７と、Ｌ型ダクト１３と、ダクト１２を覆うものである。
【００３０】
ベルマウス３２は、送風装置７の吸気口を形成するものであり、フィルタ３３は、ベルマウス３２に吸い込まれる前の汚染空気が通過するものである。また、図２に示すように、フィルタ３３は、整流板６と天井部２１の開口２１ａとの間に配置され、この開口２１ａから、捕捉空間Ｓ内に拡がった所定空間を取り囲むものである。支持体３１は、ベルマウス３２とフィルタ３３を支持するものであり、ケーシング７１の開放口７１２ａよりも外形が大きい平板状の部材である。本実施形態のレンジフード１では、支持体３１と、ベルマウス３２と、フィルタ３３とが、一体に形成されている。以下、支持体３１と、この支持体３１に支持されたベルマウス３２およびフィルタ３３を合わせて、結合部材３と称する。なお、結合部材３は、支持体３１と別体に形成された、ベルマウス３２とフィルタ３３を支持体３１にそれぞれ取り付けて構成してもよい。また、結合部材３は、ベルマウス３２とフィルタ３３のいずれか一方を、支持体３１と一体に構成し、いずれか他方を支持体３１とは別体に形成し、この他方を支持体３１に取り付ける構成としてもよい。
【００３１】
図３、図４（ａ）、および同図（ｂ）を参照しつつ、結合部材３を詳細に説明する。図３は、図１に示すレンジフードの整流板を開いた状態を示す図である。図４（ａ）は、図１に示す結合部材を拡大して示す図であり、結合部材を左右方向に断面した状態を示している。図４（ｂ）は、図１に示す結合部材を前後方向に断面した図である。なお、図４（ｂ）では、図面左側が前側になり、図面右側が後側になる。
【００３２】
図３、図４（ａ）、および同図（ｂ）に示すように、結合部材３のフィルタ３３は、左右方向に延在するフィルタ前壁３３１およびフィルタ後壁３３２と、前後方向に延在する一対のフィルタ側壁３３３を有し、矩形の枠状に形成されている。図３および図４（ｂ）に示すように、フィルタ前壁３３１は、フィルタ３３の前側部分を形成するものであり、フィルタ後壁３３２は、フィルタ３３の後側部分を形成するものである。フィルタ前壁３３１は、フィルタ後壁３３２よりも高さ寸法が小さく形成されている。また、一対のフィルタ側壁３３３は、フィルタ前壁３３１からフィルタ後壁３３２にかけて徐々に高さが高くなるように形成されている。これらフィルタ前壁３３１、フィルタ後壁３３２、および一対のフィルタ側壁３３３は、幅方向における端部を除き複数の小孔３３ｂが形成されている。なお、図３では、小孔３３ｂは省略している。これら複数の小孔３３ｂを汚染空気が通過することによって、汚染空気が乱流化され流速が速くなり汚染空気から油が分離される。汚染空気がフィルタ３３を通過する際に分離された油は、整流板６に落下した後、後述するオイルトレイ６３に回収される。なお、フィルタ３３の下端部には、端面による怪我を防ぐために円状に曲げられた端部３３ａが形成されている。
【００３３】
ベルマウス３２は、排気方向下流側に向けて内周が徐々に狭くなる筒状に形成されている。これらフィルタ３３とベルマウス３２が、略矩形板状の支持体３１によって支持されている。支持体３１の、フィルタ３３が接続する外側部分には、後述するシール部材４３が配置される段差部３１ａが形成されている。
【００３４】
図４（ｃ）を用いて、フード部２の開口２１ａに送風装置７のフランジ部７１３が取り付けられた構造を説明する。図４（ｃ）は、図２に示すレンジフードの、Ａで囲んだ部分を示す図である。なお、図４（ｃ）では、図面を簡略にするため、Ｌ型ダクト１３や整流板６は省略している。
【００３５】
図４（ｃ）に示すように、フード部２の天井部２１における、開口２１ａの周囲には、上方に凹んだ取付部２１１が形成されている。この取付部２１１にフランジ部７１３が配置され、ネジ４１とナット４２によって天井部２１にフランジ部７１３が固定されている。取付部２１１は、フランジ部７１３の厚みとネジ４１の頭の厚み分、上方に凹んでいる。このため、天井部２１の内面とフランジ部７１３の内面とは、ネジ４１の頭の厚み分、段差が生じているものの、その段差は僅かな高低差に抑えられており、天井部２１の内面とフランジ部７１３の内面の汚れを拭き取る際に、スムーズに作業することができる。なお、頭部が突出しない皿ネジ等を用い、天井部２１の内面とフランジ部７１３の内面とを段差を生じさせずに連続させてもよい。なお、フード部２の天井部２１における、開口２１ａの周囲に上方に凹んだ取付部２１１を形成せず、開口２１ａの周囲にフランジ部７１３を取り付けてもよい。
【００３６】
結合部材３は、ベルマウス３２がケーシング７１内に入り込んだ状態で、図３に示すように、取付部材４５によって、天井部２１に取り付けられている。なお、結合部材３の後側部分には、図示しない係合部が設けられ、この係合部が、フード部２に形成された図示しない被係合部に係合されている。また、図４（ｃ）に示すように、天井部２１と結合部材３の段差部３１ａとの間には、シール部材４３が配置され、天井部２１と結合部材３との間から、汚染空気が漏れることを防いでいる。
【００３７】
次いで、図１〜図３を用いて、整流板６について説明する。以下、図１および図２に示す整流板の状態を、閉じた状態と称することがある。この閉じた状態では、整流板６は、捕捉空間Ｓ内であって、結合部材３の下方を覆う状態に配置されている。
【００３８】
図１および図３に示すように、整流板６は、略矩形板状の本体６１と、本体６１の周囲から立ち上がった立上り部６２を有している。以下、整流板６の結合部材３側を、整流板の裏側と称することがある。本体６１の左右方向両端側部分には、前後方向に延在した長孔の取入開口６１ａが、前後方向に並べて２つずつ形成されている。また、図２に示すように、整流板６を閉じた状態では、立上り部６２における後側部分と天井部２１との間には、取入間隙Ｃが形成され、同様に、立上り部６２における前側部分と天井部２１との間にも取入間隙Ｃが形成されている。なお、後側に形成された取入間隙Ｃよりも、前側に形成された取入間隙Ｃの方が、開口面積が小さく形成されている。これら、取入開口６１ａと取入間隙Ｃから、汚染空気が整流板６の裏側に流入する。立上り部６２における左右両側部分は、枠体２２に接している。なお、整流板６の立上り部６２における左右両側部分と枠体２２との間に間隙を設け、汚染空気を、この間隙から整流板６の裏側に流入させてもよい。
【００３９】
整流板６の本体６１は、前側から後側に向けて下方に傾斜する勾配を有し、更に、左右両端部分から、左右方向における中央部分に向けて下方に傾斜する勾配を有している。このため、整流板６を閉じた状態では、本体６１における、左右方向中央の後側部分が最も低くなり、この部分にオイルトレイ６３が設けられている。この結果、フィルタ３３で分離されて整流板６に落下した油や、フード部２の天井部２１に付着して整流板６に落下した油等は、オイルトレイ６３まで流れて回収される。
【００４０】
図２および図３に示すように、整流板６は、後側における左右両端部分が、ピン部材４４によって、枠体２２に回動自在に取り付けられている。これにより、整流板６は、図１に示す閉じた状態と、図３に示す開いた状態とに回動させることができる。また、図３に示すように、天井部２１には、左右一対の係合部材２３が設けられている。この係合部材２３は、それぞれ左右方向外側に突出したラッチ２３ａを備えている。このラッチ２３ａは、左右方向に突没自在なものである。整流板６の裏側には、前側の取入開口６１ａ近傍に係合孔６４ａを有するＬ型金具６４が設けられている。このＬ型金具６４の係合孔６４ａを係合部材２３のラッチ２３ａに係合させることで、整流板６は閉じた状態に維持される。整流板６を開いた状態にするには、取入開口６１ａから指を挿入してラッチ２３ａを押し込み、係合孔６４ａとラッチ２３ａの係合を解除すればよい。
【００４１】
図５は、図３に示すレンジフードから、結合部材を取り外した状態を示す図である。なお、結合部材３をレンジフード１から取り外すには、図３に示す取付部材４５を取り外した後、結合部材３の後側部分に形成された図示しない係合部と、フード部２の図示しない被係合部との係合を解除すればよい。
【００４２】
図５に示すように、結合部材３を取り外した状態では、ケーシング７１の開放口７１２ａが開放され、開放口７１２ａからファン７２を取り出すことができる。開放口７１２ａの径は、ベルマウス３２によって形成される吸気口の径よりも大きい。また、ファン７２を取り外せば、開放口７１２ａから手を入れて、ケーシング７１の内面の拭き掃除をすることができる。結合部材３を取り外した状態では、従来のレンジフードにおけるケーシング底板に相当する部分がないため、ケーシング７１内に手を入れやすく、拭き掃除が容易になる。
【００４３】
次いで、モータ７３の回転軸７３１へのファン７２の取付構造について説明する。図６は、本発明の実施形態であるレンジフードの、モータの回転軸にファンを取り付ける態様を説明するための概念図である。なお、図６では、モータ７３とファン７２を示し、ケーシング７１等は省略している。また、図６では、ファン７２の一部を破断した状態を示している。
【００４４】
図６に示すように、モータ７３における回転軸７３１の先端部分には、テーパ状のテーパ部７３１ａが形成され、このテーパ部７３１ａよりも基部側に、回転軸７３１の軸心方向と直交する方向に貫通した嵌合孔７３１ｂが形成されている。また、モータ７３の回転軸７３１には、嵌合孔７３１ｂよりも基部側に、回転軸７３１の軸心方向と直交する方向の両側にそれぞれ突出した誘導ピン７３１ｃが、回転軸７３１を貫通した状態で設けられている。誘導ピン７３１ｃの突出方向は、嵌合孔７３１ｂが回転軸７３１を貫通する方向と同じにしている。ファン７２の内側には、取付部材８が設けられている。この取付部材８は、前述したように、図６では図示省略した取付板７２２に固定されている。取付部材８は、本体８１と、一対の嵌合ピン８２と、これら一対の嵌合ピン８２それぞれを付勢する一対のバネ８３と、一対の嵌合ピン８２それぞれを移動させる操作を受ける一対の操作部材８４とを有している。本体８１には、上下方向に貫通した挿通孔８１ａが形成されている。取付部材８の挿通孔８１ａに、モータ７３の回転軸７３１を挿通させることによって、ファン７２が回転軸７３１に取り付けられる。なお、図６では、後述する蓋部材８６は、省略している。
【００４５】
図７（ａ）は、図６に示す、モータの回転軸に、取付部材が取付られた状態を下方から見た要部拡大図である。図７（ｂ）は、同図（ａ）のＡ−Ａ’断面図である。なお、図７（ａ）では、後述する蓋部材８６は省略している。
【００４６】
図７（ａ）および同図（ｂ）に示すように、本体８１は、円盤状の鍔部８１１を有している。また、図７（ｂ）に示すように、本体８１は、鍔部８１１の中央部分から上方に延びた誘導部８１２と、鍔部８１１から上方に突出した複数の突起部８１３を有している。ファン７２の取付板７２２には、取付部材８の誘導部８１２が挿通される第１孔７２２ａと、取付部材８の突起部８１３が挿通される第２孔７２２ｂが形成されている。取付部材８は、誘導部８１２が第１孔７２２ａに挿通され、突起部８１３が第２孔７２２ｂに挿通された状態で、突起部８１３がかしめられて取付板７２２に固定されている。なお、取付板７２２の上面には、当て板８５が配置されている。
【００４７】
図７（ａ）および同図（ｂ）に示すように、本体８１には、下方が開放した収容部８１４が形成されている。この収容部８１４には、一対の嵌合ピン８２、一対のバネ８３、一対の操作部材８４が収容されている。なお、図７（ｂ）に示すように、収容部８１４は、嵌合ピン８２、バネ８３、および操作部材８４を収容した状態で、中央部分が開口した蓋部材８６で閉塞されている。嵌合ピン８２は、回転軸７３１の嵌合孔７３１ｂと嵌り合う嵌合突起部８２ａを備えている。嵌合突起部８２ａは、嵌合孔７３１ｂに嵌りやすいように、テーパ状に形成されている。操作部材８４は、操作片８４１と、嵌合ピン８２を支持する支持片８４２と、操作片８４１と支持片８４２とを連結する連結片８４３とを有する略コ字状の部材である。一対の操作部材８４は、反対向きに、互いの操作片８４１と支持片８４２とが重なる状態で配置されている。支持片８４２に支持された一対の嵌合ピン８２は、互いの嵌合突起部８２ａが、挿通孔８１ａを挟んで対向する向きに配置されている。また、操作部材８４は、バネ８３によって、支持片８４２が挿通孔８１ａの中心に向けて付勢されている。この結果、操作部材８４の支持片８４２に支持された嵌合ピン８２も同様に、挿通孔８１ａの中心に向けて付勢されている。以下、一対の嵌合ピン８２が付勢されるそれぞれの方向を、嵌合方向と称することがあり、嵌合方向とは反対方向を反嵌合方向と称することがある。
【００４８】
図７（ｂ）に示すように、収容部８１４には、この収容部８１４内に配置された操作部材８４の支持片８４２よりも嵌合方向側に、一対の内側当接部８１４ａが形成されている。嵌合方向に付勢された操作部材８４と嵌合ピン８２は、操作部材８４の支持片８４２が内側当接部８１４ａに当接した状態で停止している。支持片８４２が内側当接部８１４ａに当接した状態では、嵌合ピン８２の嵌合突起部８２ａが、挿通孔８１ａ内に位置し、嵌合孔７３１ｂと嵌合突起部８２ａが嵌り合っている。すなわち、回転軸７３１の嵌合孔７３１ｂが、本発明にいう嵌合部に相当し、嵌合ピン８２の嵌合突起部８２ａが、本発明にいう被嵌合部に相当する。このように、嵌合孔７３１ｂと嵌合突起部８２ａが嵌り合うことによって回転軸７３１の動力をファン７２に伝達することができるため、回転軸７３１の動力をファン７２に伝えるための専用の部品が不要になり、また、ファン７２が回転する際のがたつきを抑えることができる。
【００４９】
図７（ａ）に示すように、収容部８１４には、この収容部８１４内に配置された操作部材８４の支持片８４２よりも反嵌合方向に、一対の外側当接部８１４ｂが形成されている。操作部材８４の操作片８４１を、反嵌合方向に押すことによって、バネ８３に抗して、支持片８４２に支持された嵌合ピン８２を、反嵌合方向に移動させることができる。嵌合ピン８２は、支持片８４２が外側当接部８１４ｂに当接するまで、反嵌合方向に移動させることができ、支持片８４２が外側当接部８１４ｂに当接した状態では、嵌合ピン８２の嵌合突起部８２ａが、挿通孔８１ａから退避した位置になる。この結果、嵌合ピン８２の嵌合突起部８２ａが、回転軸７３１の嵌合孔７３１ｂから外れた状態になる。
【００５０】
図８を参照しつつ、誘導部８１２を説明する。図８（ａ）は、図７（ａ）に示す本体のＢ−Ｂ’断面図である。図８（ｂ）は、図７（ａ）に示す本体を上方から見た図である。なお、図８（ａ）および同図（ｂ）では、突起部８１３は、かしめる前の状態を示している。
【００５１】
図７（ｂ）、図８（ａ）、および同図（ｂ）に示すように、誘導部８１２には、一対の停止溝８１２ａと、一対の傾斜部８１２ｂが形成されている。一対の停止溝８１２ａは、挿通孔８１ａを挟んで、嵌合方向に沿って延在する位置に形成されている。図７（ｂ）に示すように、取付部材８の挿通孔８１ａに回転軸７３１が挿通され、回転軸７３１の誘導ピン７３１ｃが停止溝８１２ａに入り込むと、停止溝８１２ａの延在方向に沿った姿勢で誘導ピン７３１ｃが停止溝８１２ａの底に当接し、誘導ピン７３１ｃの向きが嵌合方向と同じになる。前述したように、回転軸７３１の嵌合孔７３１ｂは、誘導ピン７３１ｃが突出する方向と同じ方向に貫通して形成されているため、嵌合孔７３１ｂの貫通する方向も嵌合方向と同じになる。また、回転軸７３１における、嵌合孔７３１ｂと誘導ピン７３１ｃとの間隔は、停止溝８１２ａの底と嵌合ピン８２の嵌合突起部８２ａとの間隔と同じに設定されている。これらのため、回転軸７３１の誘導ピン７３１ｃを停止溝８１２ａの底に当接させると、嵌合孔７３１ｂと嵌合ピン８２の嵌合突起部８２ａとが嵌り合うことができる状態になる。以下、この状態を、嵌合可能状態と称することがある。
【００５２】
一対の傾斜部８１２ｂは、停止溝８１２ａの上端部分と挿通孔８１ａの上端部分から外側に向かうに従い上方に傾斜する面で形成されている。このため、回転軸７３１を挿通孔８１ａに挿通させる際に、誘導ピン７３１ｃの向きが停止溝８１２ａの延在方向とずれた場合は、誘導ピン７３１ｃが傾斜部８１２ｂに当接する。さらに取付部材８を押し込めば、誘導ピン７３１ｃが傾斜部８１２ｂに当接しつつ回転軸７３１が回転し、誘導ピン７３１ｃが停止溝８１２ａに誘導され、嵌合可能状態にすることができる。なお、傾斜部８１２ｂを円弧状の傾斜面で形成し、誘導ピン７３１ｃの停止溝８１２ａへの誘導をよりスムーズにする構成を採用してもよい。
【００５３】
次に、図７（ａ）および同図（ｂ）に示す、回転軸７３１に取付部材８が取り付けられることによって、モータ７３にファン７２が取り付けられた状態から、ファン７２をモータ７３から取り外す作業の一例について説明する。親指と人差し指で、一対の操作部材８４の操作片８４１をつまみ、バネ８３の付勢力に抗して操作部材８４を嵌合方向とは反対方向に移動させる。これにより、誘導ピン７３１ｃも一緒に嵌合方向とは反対方向に移動する。この結果、回転軸７３１の嵌合孔７３１ｂから嵌合ピン８２の嵌合突起部８２ａが外れる。次いで、一対の操作部材８４の操作片８４１をつまんだ状態で、回転軸７３１から取付部材８を外すことで、ファン７２を取り外すことができる。
【００５４】
取り外したファン７２をモータ７３に取り付ける場合には、ファン７２の取付部材８を持ち、回転軸７３１と挿通孔８１ａの位置を合わせた状態で持ち上げ、回転軸７３１を挿通孔８１ａ内に挿通させる。回転軸７３１の嵌合孔７３１ｂの貫通方向が、嵌合方向に一致していない場合は、誘導ピン７３１ｃが傾斜部８１２ｂに当接することによって回転軸７３１が回転し、誘導ピン７３１ｃが停止溝８１２ａに入り込む。この結果、回転軸７３１の嵌合孔７３１ｂの貫通方向が、嵌合方向に一致する。さらに取付部材８を持ち上げると、回転軸７３１のテーパ部７３１ａが嵌合ピン８２の嵌合突起部８２ａに当接し、嵌合ピン８２がバネ８３の付勢力に抗して嵌合方向とは反対方向に移動する。次いで、誘導ピン７３１ｃが停止溝８１２ａの底に当接すると嵌合可能状態になり、嵌合ピン８２がバネ８３の付勢力によって嵌合方向に移動し、嵌合突起部８２ａと嵌合孔７３１ｂが嵌り合う。これによって、ファン７２をモータ７３に取り付けることができる。
【００５５】
上述したように、例えば、親指と人差し指で、一対の操作部材８４の操作片８４１をつまむことによって、モータ７３からファン７２を取り外すことができる。また、回転軸７３１と挿通孔８１ａの位置を合わせた状態でファン７２を持ち上げることによって、モータ７３にファン７２を取り付けることができる。これらの結果、ファン７２の着脱作業が容易になる。
【００５６】
図１および図２を用いて、レンジフード１を作動させた場合の、屋外に汚染空気が排気される流れについて説明する。
【００５７】
図１に示す操作スイッチ２２１を操作し、ファン７２を駆動させると、図示しない調理器具を使用した際に生じた汚染空気は、上昇気流により真上に上がりフード部２で画定された捕捉空間Ｓで捕捉された後、整流板６に沿って整流板６の外周方向に流れる。整流板６の外周方向に流れた汚染空気は、図１に示す、整流板６の取入開口６１ａと、フード部２の天井部２１と整流板６との間に形成された、図２に示す後側の取入間隙Ｃと前側の取入間隙Ｃとから取り入れられ、整流板６の裏側の空間に流れる。なお、整流板６の立上り部６２における左右両側部分と枠体２２との間に間隙を設けた場合には、この間隙からも、汚染空気が整流板６の裏側の空間に流れる。図２に示す、整流板６の裏側の空間に流れた汚染空気は、フィルタ３３の小孔３３ｂを通過し、ベルマウス３２から送風装置７内に流入する。送風装置７内に流れた汚染空気は、ファン７２によって、図示しない吐出口からＬ型ダクト１３に送られた後、ダクト１２を通って屋外に排出される。
【００５８】
次いで、レンジフード１を掃除する際の手順の一例について説明する。まず、図１に示す、整流板６が閉じた状態から、整流板６を開いて、図３に示す、整流板６が開いた状態にする。次に、取付部材４５を外してフード部２から結合部材３を取り外すことによって、図５に示す、ケーシング７１の開放口７１２ａが開放された状態にする。図５に示す状態から、前述したファン７２を取り外す作業によってファン７２を取り外す。ファン７２を取り外した後、ケーシング７１の内面に付着した汚れを拭き掃除することができる。このように、結合部材３を取り外すことによって、支持体３１に支持された、ベルマウス３２とフィルタ３３も、支持体３１と一緒に取り外すことができ、作業が容易になる。なお、フード部２の内面や整流板６の裏面に付着した汚れも拭き掃除することができ、取り外した、結合部材３やファン７２は、浸け置き等をして汚れを取り除くことができる。
【００５９】
以上説明したように、上記実施形態のレンジフードによれば、ファンの取り外しやケーシングの内面の汚れの拭き取り作業が容易になる。
【００６０】
本発明は上述の実施形態に限られることなく特許請求の範囲に記載した範囲で種々の変形を行うことができる。たとえば、上記実施形態においては、ファン７２が鉛直方向の回転軸７３１を中心に回転する送風装置７を用いているが、ファン７２が水平方向の回転軸７３１を中心に回転する送風装置７を用いてもよい。この場合には、ケーシング７１に水平方向に向けて開口する開放口７１２ａを形成し、この開放口７１２ａと、図１に示すようなフード部２との間に箱状の支持体を配置する。この箱状の支持体の内部が、フード部２で捕捉した汚染空気を送風装置７に送り込む流路になる。そして、箱状の支持体の、開放口７１２ａ側にベルマウス３２を支持させ、フード部２側にフィルタ３３を支持させてもよい。また、上記実施形態においては、フィルタ３３を枠状に形成したが、平板状に形成したフィルタをベルマウス３２の下方に配置し、これらフィルタとベルマウス３２を支持体によって支持してもよい。さらに、上記実施形態では、モータ７３の回転軸７３１に嵌合孔７３１ｂを形成し、嵌合ピン８２に嵌合突起部８２ａを形成したが、モータ７３の回転軸７３１に嵌合突起部を形成し、嵌合ピン８２に嵌合孔を形成してもよい。また、上記実施形態では、取付部材８に、回転軸７３１を挟み込むように一対の嵌合ピン８２を設け、一対の嵌合ピン８２の嵌合突起部８２ａそれぞれと嵌合孔７３１ｂとが嵌り合う構成を採用したが、嵌合ピン８２は一対である必要はなく、取付部材８に１本の嵌合ピン８２を設け、この嵌合ピン８２の嵌合突起部８２ａと嵌合孔７３１ｂとが嵌り合う構成を採用してもよい。この場合には、回転軸７３１に周方向の溝部を形成するとともに、この溝部と係合する係合部材を取付部材８に設け、１本の嵌合ピン８２と嵌合孔７３１ｂとの嵌り合いと、回転軸の溝部と取付部材の係合部材との係合とによって、モータ７３の回転軸７３１に、取付部材８を取り付けてもよい。
【符号の説明】
【００６１】
１  レンジフード
２  フード部
２１  天井部
２１ａ  開口
２１１  取付部
３  結合部材
３１  支持体
３２  ベルマウス
３３  フィルタ
６  整流板
６１ａ  取入開口
７  送風装置
７１  ケーシング
７１１  天板部
７１２  側板部
７１２ａ  開放口
７１３  フランジ部
７２  ファン
７３  モータ
７３１  回転軸
７３１ｂ  嵌合孔
８  取付部材
８２  嵌合ピン
８２ａ  嵌合突起部
８３  バネ
８４  操作部材
Ｓ  捕捉空間
Ｃ  取入間隙
【図１】
2014114974.tif 000003
【図８】
2014114974.tif 000004
【図２】
2014114974.tif 000005
【図３】
2014114974.tif 000006
【図４】
2014114974.tif 000007
【図５】
2014114974.tif 000008
【図６】
2014114974.tif 000009
【図７】
2014114974.tif 000010